(57)【要約】【課題】  使い易いように構造が改善された撮像装置を提供する。【解決手段】  本発明の撮像装置は、磁気テープに情報を記録／再生するためのデッキユニットが内蔵された本体と、前記本体の外側に結合され、ユーザが把手するグリップカバーとを含み、前記グリップカバーの外面には、ユーザの手とグリップカバーの外側面との間にギャップを設けることで風通しを可能にする所定パターンの凸凹部を含む。【選択図】      図２
2005260948.tif 000002
【特許請求の範囲】
【請求項１】
磁気テープに情報を記録／再生するためのデッキユニットが内蔵された本体と；
前記本体の外側に結合され、ユーザにより把手されるグリップカバーと；
ユーザの手とグリップカバーの外側面との間にギャップを形成することで風通しを可能にすべく前記グリップカバーの外面に形成された所定パターンの凸凹部とを含むことを特徴とする撮像装置。
【請求項２】
前記凸凹部は、複数のリブを含むことを特徴とする請求項１に記載の撮像装置。
【請求項３】
前記本体は、磁気テープを差込及び取り出すために開閉可能なデッキドアを含み、前記デッキドアの一面に前記グリップカバーが装着されることを特徴とする請求項１に記載の撮像装置。
【請求項４】
前記デッキドアには、外側から前記デッキユニットの磁気テープ走行系が調整できるように貫通形成された少なくとも一つの調整穴が形成され、
前記調整穴は、前記グリップカバーにより覆われることを特徴とする請求項３に記載の撮像装置。
【請求項５】
前記グリップカバーは、前記調整穴に対応して形成されたフックと、前記グリップカバーを前記デッキドアにネジ止めすべく形成されたネジ穴を有することを特徴とする請求項４に記載の撮像装置。
【請求項６】
前記本体には、外側から前記デッキユニットの磁気テープ走行系が調整できるように貫通形成された少なくとも一つの調整穴が形成され、
前記調整穴は、前記グリップカバーにより覆われることを特徴とする請求項１に記載の撮像装置。
【請求項７】
前記グリップカバーは、前記調整穴に対応して形成されたフックと、前記グリップカバーを前記本体にネジ止めすべく形成されたネジ穴を有することを特徴とする請求項６に記載の撮像装置。
【請求項８】
前記本体内には、動画が撮像できる第１のカメラユニットと、動画と静止画が撮像できる第２のカメラユニットが備えられたことを特徴とする請求項１乃至７のいずれか一項に記載の撮像装置。
【請求項９】
磁気テープに情報を記録／再生するためのデッキユニットと、動画が撮像できる第１のカメラユニットと、動画と静止画が撮像できる第２のカメラユニットが内蔵された本体と；
前記本体の外側に結合され、ユーザが把手するグリップカバーと；
ユーザの手とグリップカバーの外側面との間にギャップを形成することで風通しを可能にすべく前記グリップカバーの外面に形成された所定パターンの凸凹部とを含むことを特徴とする撮像装置。
【請求項１０】
前記凸凹部は、複数のリブを含むことを特徴とする請求項９に記載の撮像装置。
【請求項１１】
前記本体は、磁気テープを差込及び取り出すために開閉可能なデッキドアを含み、前記デッキドアの一面に前記グリップカバーが装着されることを特徴とする請求項９に記載の撮像装置。
【請求項１２】
前記デッキドアには、外側から前記デッキユニットの磁気テープ走行系が調整できるように貫通形成された少なくとも一つの調整穴が形成され、
前記調整穴は、前記グリップカバーにより覆われることを特徴とする請求項１１に記載の撮像装置。
【請求項１３】
前記グリップカバーは、前記調整穴に対応して形成されたフックと、前記グリップカバーを前記デッキドアにネジ止めすべく形成されたネジ穴を有することを特徴とする請求項１２に記載の撮像装置。
【請求項１４】
前記本体には、外側から前記デッキユニットの磁気テープ走行系が調整できるように貫通形成された少なくとも一つの調整穴が形成され、
前記調整穴は、前記グリップカバーにより覆われることを特徴とする請求項９に記載の撮像装置。
【請求項１５】
前記グリップカバーは、前記調整穴に対応して形成されたフックと、前記グリップカバーを前記本体にネジ止めすべく形成されたネジ穴を有することを特徴とする請求項１４に記載の撮像装置。
【請求項１６】
磁気テープに情報を記録／再生するためのデッキユニットが内蔵された本体と；
前記デッキユニットの内部に磁気テープを差込及び取り出すため本体に開閉可能に設けられたデッキドアと；
ユーザにより把手され、前記デッキドアの一面に装着されるグリップカバーと；
ユーザの手とグリップカバーの外側面との間にギャップを形成することで風通しを可能にすべく前記グリップカバーの外面に形成された所定パターンの凸凹部とを含むことを特徴とする撮像装置。
【請求項１７】
前記凸凹部は、複数のリブを含むことを特徴とする請求項１６に記載の撮像装置。
【請求項１８】
前記デッキドアはグリップカバー装着部を備え、該グリップカバー装着部は前記デッキユニットの磁気テープ走行系が調整できるように貫通形成された少なくとも一つの調整穴を有し、前記調整穴は、前記グリップカバーにより覆われることを特徴とする請求項１６に記載の撮像装置。
【請求項１９】
前記グリップカバーは、前記調整穴に対応して形成されたフックと、前記グリップカバーを前記デッキドアにネジ止めすべく形成されたネジ穴を有することを特徴とする請求項１８に記載の撮像装置。
【発明の詳細な説明】
【技術分野】
【０００１】
本発明は、動画を撮像し記録及び再生可能な撮像装置に係る。
【背景技術】
【０００２】
一般に、撮像装置としては、テープのような記録媒体に撮像される被写体の画像及び音響等を記録及び再生する磁気記録／再生装置を有するカムコーダーが広く普及されている。カムコーダーは、磁気テープを走行させる走行系とヘッドドラムを有するデッキユニットを含む。
【０００３】
この種の撮像装置をユーザが使用する際、撮像装置を片手で把持して使用するようになる。しかし、長時間使用する場合、ユーザの撮像装置を把持している手と撮像装置との長時間による接触により手から汗が出る。
【０００４】
また、撮像装置を組み立てる過程で撮像装置の組立を完成した後に走行系を調整しなければならない。即ち、テープの走行をガイドするガイドポールまたはガイドローラーなどの姿勢、高さなどを調整する必要がある。かかる調整のためには、撮像装置の内部に設けられた走行系調整部材につながる穴を必要とする。この穴から走行系を調整した後、ゴムパッキングなどで穴を塞ぐ。しかし、このようなゴムパッキングなどは、外部から目立つことで見かけ上よくないのみならず、材料を無駄にする結果につながる。また、このゴムパッキングなどは、一般の需要者らが引き抜き難いように押し込んであるため、Ａ／Ｓセンターなどで走行系を調整するためにゴムパッキングなどを引き抜く必要があるが、引き抜き難いという問題点を抱えている。
【発明の開示】
【発明が解決しようとする課題】
【０００５】
本発明は、前記のような問題点を解決するためになされたものであって、その目的は、使い易いように構造が改善された撮像装置を提供することである。
【課題を解決するための手段】
【０００６】
前記目的を達成するために、本発明に係る撮像装置は、磁気テープに情報を記録／再生するためのデッキユニットが内蔵された本体と；前記本体の外側に結合され、ユーザが把手するグリップカバーとを含み、前記グリップカバーの外面には、ユーザの手とグリップカバーの外側面との間にギャップを設けることで風通しを可能にすべく所定パターンの凸凹部を含む。
【０００７】
ここで、前記凸凹部は、複数のリブを含むことがよい。
【０００８】
また、前記本体は、磁気テープを差込及び取り出すために開閉可能なデッキドアを含み、前記デッキドアの一面に前記グリップカバーが装着されることがよい。
【０００９】
さらに、前記デッキドアには、外側から前記デッキユニットの磁気テープ走行系が調整できるように貫通形成された少なくとも一つの調整穴が形成され、前記調整穴は、前記グリップカバーにより覆われることがよい。
【００１０】
また、前記グリップカバーは、前記調整穴に対応して形成されたフックと、前記グリップカバーを前記本体にネジ止めすべく形成されたネジ穴を有することがよい。
【００１１】
また、前記本体には、外側から前記デッキユニットの磁気テープ走行系が調整できるように貫通形成された少なくとも一つの調整穴が形成され、前記調整穴は、前記グリップカバーにより覆われることがよい。
【００１２】
また、前記グリップカバーは、前記調整穴に対応して形成されたフックと、前記グリップカバーを前記デッキドアにネジ止めすべく形成されたネジ穴を有することがよい。
【００１３】
ここで、本発明に係る撮像装置は、前記本体内に動画が撮像できる第１のカメラユニットと、動画と静止画が撮像できる第２のカメラユニットが備えられたことがよい。
【発明の効果】
【００１４】
以上で説明したように、本発明に係る撮像装置は、走行系が調整できるフック穴をグリップカバーで覆うことで既存のゴムパッキングなどの押込工程を省くことができる。従って、製造工数を減らすことができる。そして、Ａ／Ｓセンターなどでグリップカバーだけを取り外して走行系が調整できるようになり、走行系の調整が便利である。
【００１５】
また、ユーザが撮像装置を長時間把手して撮像に臨む場合、凸凹部を介してグリップカバーと把持した手との間に隙間を設けることで風通しをよくすることにより汗が出ることを抑えることができる。
【発明を実施するための最良の形態】
【００１６】
図１乃至図４に示すように、本発明の実施例に係る撮像装置は、本体１０と、グリップカバー２０と、デッキドア１１とを備える。
【００１７】
本体１０は、第１のカメラユニット１２（以下、‘カムコーダーユニット’と称す）、第２のカメラユニット１４（以下、‘デジタルカメラユニット’と称す）、把持バンド１６とからなる。
【００１８】
カムコーダーユニット１２は、デッキユニット（図示せず）を備え、このデッキユニット（図示せず）内には、走行系調整部材４６とヘッドドラム４７が設けられる。
【００１９】
走行系調整部材４６としては、ガイドポールまたはガイドローラーなどがあり、磁気テープをヘッドラムに導く。この時、走行系調整部材４６を調整することで磁気テープを前記ヘッドドラムへとより正確に導くことができる。走行系調整部材４６の端部には、溝が形成されており、ドライバなどの道具で回すことにより走行系調整部材４６の高さが調整される。
【００２０】
ヘッドドラム４７は、磁気テープからデータを読み取ったり書き込む機能を果たし、更なる詳細な説明は、公知技術であるため省くことにする。
【００２１】
デジタルカメラユニット１４は、動画とスチル画像を撮像し記録媒体に記録及び出力することができる。記録媒体としては、ハードディスク（図示せず）やメモリカード（図示せず）などが使用される。その他のデジタルカメラユニット１４についての詳細な説明は、公知の技術であるため省くことにする。
【００２２】
把持バンド１６は、本体１０の一方から他方に向けて形成されており、撮像装置を把持して使用する際、把持した手を撮像装置に固定させる機能を果たす。以下、把持バンド１６については、公知の技術であるため詳細な説明は省くことにする。
【００２３】
図２に示すように、グリップカバー２０は、第１のネジ穴２２、締め付け部材２４、フック２６、凸凹部２８を備える。
【００２４】
第１のネジ穴２２は、グリップカバー２０を貫通して形成され、一般に、グリップカバー２０の下端に２つ程度形成されることがよく、ネジ止めのためのねじ山が形成される。
【００２５】
締め付け部材２４は、第１の締め付け穴２２を挿通し後述する第２の締め付け穴４４にネジ止めされることでグリップカバー２０をグリップカバー装着部４０に装着及び固着し、一般にネジが使用される。
【００２６】
フック２６は、グリップカバー２０の一端に形成され、後述する調整穴４２に結合される。このフック２６は、調整穴４２の数と同数にすることが好ましい。
【００２７】
凸凹部２８は、グリップカバー２０の外面に一体に形成されることが好ましい。このような凸凹部２８は、エンボス形状または図面上に示すリブの形状及びその他の適宜の形状と模様に形成することができる。また、色相及び材質も消費者のニーズに合うように多様に変えることができる。この凸凹部２８は、ユーザが撮像装置を把持する際にユーザの手と接触するようになる。この時、ユーザの把持した手とグリップカバー２０との間には、凸凹部２８により隙間が生じ、この隙間から風通しが行われるためユーザの手からの汗の発生を抑えることができる。好ましくは、風通しをよくするために凸凹部２８は、一定の間隔をおいて連続した複数のリブを含むことがよい。
【００２８】
デッキドア１１は、グリップカバー装着部４０を備え、グリップカバー装着部４０には、調整穴４２、第２の締め付け穴４４が形成される。このデッキドア１１は、図５に示すように本体１０の側面に開閉可能に設けられる。従って、ユーザがカムコーダーユニット１２内に磁気テープをデッキドア１１を開けて差し込んだり取り出すことができるようになる。
【００２９】
グリップカバー装着部４０は、グリップカバー２０が容易に装着できるようにデッキドア１１の一面にグリップカバー２０に対応する形状に陥没して形成される。このグリップカバー装着部４０には、走行系調整装置４６を外部から調整できるように調整穴４２が設けられている。
【００３０】
調整穴４２は、グリップカバー装着部４０を貫通して形成され、この調整穴４２を通して外部から走行系調整部材４６を調節することができるようになる。また、フック２６に係合できるようにフック２６に対応して形成される。
【００３１】
第２のネジ穴４４は、前記グリップカバーの装着部４０に第１のネジ穴２２に対応して設けられ、締め付け部材２４がネジ止めされる。第１のネジ穴２２と同様にねじ山が形成されていることが一般的である。
【００３２】
以下、本発明の作用について詳細に説明する。
【００３３】
本発明の実施例に係る撮像装置は、組立の後、走行系を調整する。この時、グリップカバー装着部４０上に形成されたフック穴４２から走行系調整部材４６を調整することができる。この走行系調整部材４６の上端には、溝が形成され、この溝にドライバなどの先端部を入れ、走行系調整部材４６を回すことで高さを調整するようになる。
【００３４】
前記のように走行系を調整した後、グリップカバー２０をグリップカバー装着部４０に装着する。フック２６を調整穴４２に係合する。そして、締め付け部材２４を第１のネジ穴２２を挿通して第２のネジ穴４４にネジ止めし、グリップカバー２０をグリップカバー装着部４０に装着及び固着する。この時、調整穴４２は、グリップカバー２０により覆われる。従って、既存にゴムパッキングなどを押し込んで仕上げした工程を省くことができ、ゴムパッキングなどの部材を不要とする。また、Ａ／Ｓセンターなどで走行系を調整し直す必要がある場合、押し込んであるゴムパッキングなどを強制に引き抜く必要があったが、本発明に係る撮像装置では、締め付け部材２４を外し、フック穴４２から簡単に走行系を調整することができるようになる。
【００３５】
ユーザが撮像装置を使用する場合、撮像装置を片手で把持して撮像に臨む。このような撮像は、長くは１時間以上になることもある。従って、長時間撮像装置を把持する場合、把持した手から汗が出ることがある。しかし、本発明に係る撮像装置では、把手する部分であるグリップカバー２０に、凸凹部２８が形成されており、把持した手とグリップカバー２０との間に隙間が生じるようになる。かかる隙間から風通しをよくすることで汗の発生を抑えるようになる。
【００３６】
以上、本発明を、本発明の原理を例示するための好適な実施例について図示し説明したが、本発明は、上述したように図示され説明されたままの構成及び作用に限定されるものではない。却って、特許請求の範囲の思想及び範疇を逸脱することなく、本発明に対する種々の変更及び修正が可能であることを当業者であればよく理解できるはずである。従って、かかる全ての適切な変更及び修正と均等物も本発明の範囲に属するものとみなされるべきである。
【産業上の利用可能性】
【００３７】
本発明は、動画を撮像し記録及び再生可能な撮像装置に係り、一般のカメラ、カムコーダー、デジタルカメラのみならず、被写体が撮像できるあらゆる撮像装置に使用可能である。
【図面の簡単な説明】
【００３８】
【図１】本発明に係る撮像装置の実施例を概略的に示す斜視図である。
【図２】本発明に係る撮像装置の実施例を概略的に示す分解斜視図である。
【図３】図１のIII−III線断面図である。
【図４】本発明に係る撮像装置の実施例であって、デッキユニット部が見えるように分解した状態を概略的に示す斜視図である。
【図５】本発明に係る撮像装置のデッキドアが開放される状態を概略的に示す斜視図である。
【符号の説明】
【００３９】
１０  本体
１１  デッキドア
１２  第１のカメラユニット
１４  第２のカメラユニット
１６  把持バンド
２０  グリップカバー
２２、４４  第１、第２のネジ穴
２４  締め付け部材
２６  フック
２８  凸凹部
４０  グリップカバー装着部
４２  調整穴
４６  走行系調整部材
４７  ヘッドドラム
【図１】
2005260948.tif 000003
【図２】
2005260948.tif 000004
【図３】
2005260948.tif 000005
【図４】
2005260948.tif 000006
【図５】
2005260948.tif 000007